(57)【要約】【課題】室外ファンに係る軸受の破損を抑制できる空気調和機を提供する。【解決手段】空気調和機は制御部(１００)を備える。制御部(１００)が冷媒回路を制御することにより、室内熱交換器の実質的に全部を蒸発域にする第１除湿運転と、室内熱交換器において制御弁(１３)よりも上流側の部分を凝縮域とする一方、室内熱交換器において制御弁(１３)よりも下流側の部分を蒸発域とする第２除湿運転とが行われる。制御部(１００)は、第２除湿運転において、所定値よりも低い第１回転数で室外ファンが回転した場合、第１回転数の継続時間が所定時間以上になるとき、室外ファンの回転数を所定値以上の第２回転数に切り替える保護制御を行う。【選択図】図２
2020165620.tif 000002
【特許請求の範囲】
【請求項１】
圧縮機(２１)と、室外熱交換器(２３)と、膨張機構(２４)と、室内熱交換器(１１)と、上記室内熱交換器(１１)の冷媒経路の途中に設けられた制御弁(１３)とを有する冷媒回路(ＲＣ)と、
軸受(２９)で回転可能に支持され、上記室外熱交換器(２３)に空気を送る室外ファン(２６)と、
制御部(１００)と
を備え、
上記制御部(１００)が上記冷媒回路(ＲＣ)を制御することにより、上記室内熱交換器(１１)の実質的に全部を蒸発域にする第１除湿運転と、上記室内熱交換器(１１)において上記制御弁(１３)よりも上流側の部分を凝縮域とする一方、上記室内熱交換器(１１)において上記制御弁(１３)よりも下流側の部分を蒸発域とする第２除湿運転とが行われ、上記制御部(１００)は、上記第２除湿運転において、所定値よりも低い第１回転数で上記室外ファン(２６)が回転した場合、上記第１回転数の継続時間が所定時間以上になるとき、上記室外ファン(２６)の回転数を上記所定値以上の第２回転数に切り替える保護制御(Ｓ５)を行うことを特徴とする空気調和機。
【請求項２】
請求項１に記載の空気調和機において、
室内温度を検出する室内温度センサ(５２)を備え、
上記制御部(１００)は、上記保護制御(Ｓ５)によって上記室外ファン(２６)の回転数が上記第２回転数に切り替えられた後、上記室内温度センサ(５２)に検出された室内温度と、設定温度との差が、第１所定値を超えるとき、上記圧縮機(２１)および上記室外ファン(２６)の駆動を継続させる第１制御(Ｓ６)を行うことを特徴とする空気調和機。
【請求項３】
請求項２に記載の空気調和機において、
上記制御部(１００)は、上記保護制御(Ｓ５)によって上記室外ファン(２６)の回転数が上記第２回転数に切り替えられた後、上記差が上記第１所定値以下になるとき、上記圧縮機(２１)および上記室外ファン(２６)を一時停止させる第２制御(Ｓ７)を行うことを特徴とする空気調和機。
【請求項４】
請求項２または３に記載の空気調和機において、
上記制御部(１００)は、
上記保護制御(Ｓ５)によって上記室外ファン(２６)の回転数が上記第２回転数に切り替えられる前、上記差が、上記第１所定値より大きい第２所定値以下になるとき、上記圧縮機(２１)および上記室外ファン(２６)を一時停止させる第３制御(Ｓ１１)と、
上記保護制御(Ｓ５)によって上記室外ファン(２６)の回転数が上記第２回転数に切り替えられた後、上記第２回転数の継続時間が所定時間以上になる場合、上記差が上記第２所定値よりも大きいとき、上記第２回転数を維持する第４制御(Ｓ１０２)と
を行うことを特徴とする空気調和機。
【請求項５】
請求項４に記載の空気調和機において、
上記制御部(１００)は、上記保護制御(Ｓ５)によって上記室外ファン(２６)の回転数が上記第２回転数に切り替えられた後、上記第２回転数の継続時間が所定時間以上になる場合、上記差が上記第２所定値以下になるとき、上記室外ファン(２６)の回転数を上記第１回転数に切り替える第５制御(Ｓ１０３)を行うことを特徴とする空気調和機。
【請求項６】
請求項１から５までのいずれか一項に記載の空気調和機において、
上記保護制御(Ｓ５)で使用する上記所定値は、上記第１除湿運転時の上記室外ファン(２６)の回転数の下限値であることを特徴とする空気調和機。
【発明の詳細な説明】
【技術分野】
【０００１】
本開示は、空気調和機に関する。
【背景技術】
【０００２】
従来、空気調和機としては、特許文献１に開示されているように、顕熱能力が互いに異なる複数の除湿運転を行うものがある。この空気調和機の室外機は、室外熱交換器と、室外熱交換器に空気を送る室外ファンとを搭載している。この室外ファンは軸受で回転可能に支持されている。
【先行技術文献】
【特許文献】
【０００３】
【特許文献１】特開２００４−１０８６１８号公報
【発明の概要】
【発明が解決しようとする課題】
【０００４】
上記従来の空気調和機では、室外ファンが低回転数で回転し続けることがある。このとき、上記軸受の潤滑が不十分になって、軸受が損傷する可能性がある。
【０００５】
本開示の課題は、室外ファンに係る軸受の破損を抑制できる空気調和機を提供することにある。
【課題を解決するための手段】
【０００６】
本開示の一態様の空気調和機は、
圧縮機と、室外熱交換器と、膨張機構と、室内熱交換器と、上記室内熱交換器の冷媒経路の途中に設けられた制御弁とを有する冷媒回路と、
軸受で回転可能に支持され、上記室外熱交換器に空気を送る室外ファンと、
制御部と
を備え、
上記制御部が上記冷媒回路を制御することにより、上記室内熱交換器の実質的に全部を蒸発域にする第１除湿運転と、上記室内熱交換器において上記制御弁よりも上流側の部分を凝縮域とする一方、上記室内熱交換器において上記制御弁よりも下流側の部分を蒸発域とする第２除湿運転とが行われ、上記制御部は、上記第２除湿運転において、所定値よりも低い第１回転数で上記室外ファンが回転した場合、上記第１回転数の継続時間が所定時間以上になるとき、上記室外ファンの回転数を上記所定値以上の第２回転数に切り替える保護制御を行う。
【０００７】
上記態様によれば、上記第２除湿運転において、第１除湿運転時の室外ファンの回転数の所定値よりも低い第１回転数で室外ファンが回転した場合、第１回転数の継続時間が所定時間以上となったとき、制御部の保護制御によって、室外ファンの回転数が所定値以上の第２回転数に切り替わる。その結果、上記室外ファンに係る軸受の破損を抑制できる。
【０００８】
一態様の空気調和機は、
室内温度を検出する室内温度センサを備え、
上記制御部は、上記保護制御によって上記室外ファンの回転数が上記第２回転数に切り替えられた後、上記室内温度センサに検出された室内温度と、設定温度との差が、第１所定値を超えるとき、上記圧縮機および上記室外ファンの駆動を継続させる第１制御を行う。
【０００９】
上記態様によれば、上記室内温度と設定温度との差が、第１所定値を超えているとき、制御部が第１制御を行う。この第１制御では、圧縮機および室外ファンの駆動が継続する。これにより、上記軸受の潤滑が途切れるのを抑制することができる。
【００１０】
一態様の空気調和機では、
上記制御部は、上記保護制御によって上記室外ファンの回転数が上記第２回転数に切り替えられた後、上記差が上記第１所定値以下になるとき、上記圧縮機および上記室外ファンを一時停止させる第２制御を行う。
【００１１】
上記態様によれば、上記室内温度と設定温度との差が第１所定値以下となったとき、制御部が第２制御を行う。この第２制御では、圧縮機および室外ファンが一時停止する。これにより、上記室内温度が設定温度よりも過度に下がるのを抑制することができる。
【００１２】
一態様の空気調和機では、
上記制御部は、
上記保護制御によって上記室外ファンの回転数が上記第２回転数に切り替えられる前、上記差が、上記第１所定値より大きい第２所定値以下になるとき、上記圧縮機および上記室外ファンを一時停止させる第３制御と、
上記保護制御によって上記室外ファンの回転数が上記第２回転数に切り替えられた後、上記第２回転数の継続時間が所定時間以上になる場合、上記差が上記第２所定値よりも大きいとき、上記第２回転数を維持する第４制御と
を行う。
【００１３】
上記態様によれば、上記保護制御によって室外ファンの回転数が第２回転数に切り替えられた後、第２回転数の継続時間が所定時間以上になる場合、室内温度と設定温度との差が第２所定値よりも大きいとき、制御部が第４制御を行う。この第４制御では、第２回転数が維持される。したがって、上記室内温度の降下速度の低下を抑制することができる。
【００１４】
一態様の空気調和機では、
上記制御部は、上記保護制御によって上記室外ファンの回転数が上記第２回転数に切り替えられた後、上記第２回転数の継続時間が所定時間以上になる場合、上記差が上記第２所定値以下になるとき、上記室外ファンの回転数を上記第１回転数に切り替える第５制御を行う。
【００１５】
上記態様によれば、上記保護制御によって室外ファンの回転数が第２回転数に切り替えられた後、第２回転数の継続時間が所定時間以上になる場合、室内温度と設定温度との差が第２所定値以下になるとき、制御部が第５制御を行う。この第５制御では、室外ファンの回転数を第１回転数に切り替える。したがって、上記室内温度が設定温度よりも過度に下がるのを抑制することができる。
【００１６】
一態様の空気調和機では、
上記保護制御で使用する上記所定値は、上記第１除湿運転時の上記室外ファンの回転数の下限値である。
【００１７】
上記態様によれば、上記保護制御で使用する所定値は、上記第１除湿運転時の上記室外ファンの回転数の下限値とすることにより、軸受の潤滑の途切れを確実に抑制することができる。
【図面の簡単な説明】
【００１８】
【図１】本開示の一実施形態の空気調和機の冷媒回路の回路図である。
【図２】上記空気調和機の制御ブロック図である。
【図３】上記空気調和機の冷房除湿運転を説明するための模式図である。
【図４】上記空気調和機の過絞り除湿運転を説明するための模式図である。
【図５】上記空気調和機の再熱除湿運転を説明するための模式図である。
【図６】上記空気調和機の冷房除湿運転、過絞り除湿運転および再熱除湿運転に関するモリエル線図である。
【図７】上記空気調和機の冷房除湿運転、過絞り除湿運転および再熱除湿運転の運転条件を比較するための表である。
【図８】上記空気調和機の制御装置の制御を説明するためのフローチャートである。
【図９】図８のフローチャートに続くフローチャートである。
【図１０】図８のフローチャートに続く他のフローチャートである。
【図１１】上記制御の変形例を説明するためのフローチャートである。
【図１２】図１１のフローチャートに続くフローチャートである。
【図１３】図１１のフローチャートに続く他のフローチャートである。
【発明を実施するための形態】
【００１９】
以下、本開示の空気調和機を、図示の実施の形態により詳細に説明する。
【００２０】
〔第１実施形態〕
図１は、本開示の第１実施形態の空気調和機が備える冷媒回路ＲＣの回路図である。
【００２１】
上記空気調和機は、空調対象である室内空間に設置される室内機１と、室外に設置される室外機２とを備える。
【００２２】
室内機１は、例えば、室内の壁面に取り付けられる壁掛け式の室内ユニットである。この室内機１は、室内熱交換器１１と、この室内熱交換器１１に空気を送る室内ファン１２とを有する。
【００２３】
室内熱交換器１１は、室内ファン１２による空気流に関して、室内ファン１２よりも上流側に位置している。この室内熱交換器１１は、室内機１内に吸い込まれた空気と冷媒との熱交換を行うために、本体熱交換部１１ａと、補助熱交換部１１ｂとを有する。
【００２４】
本体熱交換部１１ａは、正面部１１ａ−１および背面部１１ａ−２から成っている。正面部１１ａ−１は、室内ユーザ側に位置する一方、背面部１１ａ−２は、室内ユーザ側とは反対側に位置する。別の言い方をすると、背面部１１ａ−２は、室内機１が取り付けられる壁側に位置する一方、正面部１１ａ−１は、その壁側とは反対側に位置する。また、正面部１１ａ−１は、冷媒配管Ｌ１，Ｌ２などを介して背面部１１ａ−２に流体的に接続されている。これにより、膨張弁２４から本体熱交換部１１ａへ流れる冷媒は、正面部１１ａ−１を流れた後、背面部１１ａ−２に流入する。
【００２５】
補助熱交換部１１ｂは、本体熱交換部１１ａの正面部１１ａ−１に関して、本体熱交換部１１ａの背面部１１ａ−２側とは反対側に設けられている。別の言い方をすると、補助熱交換部１１ｂは、本体熱交換部１１ａの正面部１１ａ−１よりも、室内ユーザ側に位置する。この補助熱交換部１１ｂは、本体熱交換部１１ａよりも、容積が小さい。また、補助熱交換部１１ｂは、冷媒配管Ｌ１１を介して本体熱交換部１１ａの正面部１１ａ−１に流体的に接続されている。これにより、膨張弁２４側からの冷媒は、補助熱交換部１１ｂを介して、本体熱交換部１１ａに供給される。このように、補助熱交換部１１ｂは、冷媒配管Ｌ３と冷媒配管Ｌ１１との間の冷媒経路を有するものと言える。
【００２６】
室内ファン１２としては、例えばクロスフローファンが採用される。このクロスフローファンは、室内熱交換器１１で温度などが調整された空気を室内に向けて吹き出す。
【００２７】
また、室内熱交換器１１の冷媒経路の途中には、制御弁の一例としての電磁弁１３が設けられている。この電磁弁１３は、本体熱交換部１１ａの正面部１１ａ−１側と本体熱交換部１１ａの背面部１１ａ−２側との間に差圧を設定する。より詳しく説明すると、電磁弁１３は、大開度および小開度の２位置のみを取ることが可能なオンオフ弁であり、必要時(例えば、後述する再熱除湿運転時)にオンされ、大開度の位置から小開度の位置に切り替えられる。
【００２８】
また、室内機１は、室内熱交換器１１の温度を検出する室内熱交換器温度センサ５１と、室内空気の温度(以下、「室内温度」という。)を検出する室内温度センサ５２と、室内湿度を検出する室内湿度センサ５３とを有する。
【００２９】
室外機２は、圧縮機２１と、四路切換弁２２と、室外熱交換器２３と、膨張機構の一例としての膨張弁２４と、アキュムレータ２５と、室外熱交換器２３に空気を送る室外ファン２６とを有する。さらに、室外機２は、室外熱交換器２３の温度を検出する室外熱交換器温度センサ５６と、外気温度を検出する外気温度センサ５７と、膨張弁２４で減圧された冷媒の温度(蒸発温度)を検出する冷媒温度センサ５８とを有する。
【００３０】
室外熱交換器２３は、室外ファン２６による空気流に関して、室外ファン２６よりも上流側に位置している。室外熱交換器２３内を流れる冷媒は、室外ファン２６によって室外機２内に吸い込まれた空気と熱交換する。
【００３１】
室外ファン２６は、例えばプロペラファンから成る。この室外ファン２６は、羽根部２７と、この羽根部２７と一体に回転する軸部２８とを有する。軸部２８は、軸受２９で回転可能に支持されている。例えばアウターロータモータ(図示せず)が、室外ファン２６の軸部２８を回転駆動する。なお、アウターロータモータの構成は、特開２０１８−１１３７５８号公報のアウターロータモータの構成と同様の構成でもよい。
【００３２】
膨張弁２４は、互いに異なる３以上の開度に調整可能な例えば電動弁であって、制御装置１００(図２に示す)からの信号に応じて開度が変化する。なお、制御装置１００は制御部の一例である。
【００３３】
また、上記空気調和機の冷媒回路ＲＣは、室内熱交換器１１、電磁弁１３、圧縮機２１、四路切換弁２２、室外熱交換器２３、膨張弁２４、アキュムレータ２５および冷媒配管Ｌ３〜Ｌ９から成っている。より詳しく説明すると、室内熱交換器１１、圧縮機２１、四路切換弁２２、室外熱交換器２３、膨張弁２４およびアキュムレータ２５が、冷媒配管Ｌ３〜Ｌ９によって流体的に接続される。これにより、環状の冷媒回路ＲＣが構成されている。このような冷媒回路ＲＣにおいて、圧縮機２１の駆動時、冷媒が循環する。
【００３４】
外気温度センサ５７は、室外ファン２６による空気流に関して、室外熱交換器２３よりも上流側に位置している。別の言い方をすると、室外ファン２６の駆動時、室外熱交換器２３と熱交換する前の室外空気が外気温度センサ５７を経由する。
【００３５】
また、図示しないが、上記空気調和機は、リモートコントローラ(以下、「リモコン」と言う。)を備える。ユーザは、リモコンを操作して、自動運転、冷房運転、暖房運転、除湿運転などを開始させたり、停止させたりすることができる。上記リモコンは、ユーザの操作に応じて室内機１と例えば無線通信を行う。
【００３６】
図２は、上記空気調和機の制御ブロック図である。
【００３７】
上記空気調和機は、冷媒回路ＲＣを制御する制御装置１００を備える。より詳しく説明すると、制御装置１００は、マイクロコンピュータ、入出力回路などから成っている。この制御装置１００が、室内熱交換器温度センサ５１、室内温度センサ５２、室内湿度センサ５３、室外熱交換器温度センサ５６、外気温度センサ５７、冷媒温度センサ５８などからの信号に基づいて、圧縮機２１、四路切換弁２２、膨張弁２４、室外ファン２６、室内ファン１２、電磁弁１３などを制御する。
【００３８】
また、上記空気調和器は、冷房除湿運転、過絞り除湿運転および再熱除湿運転のうちの一つを適宜行える。このとき、制御装置１００が冷媒回路ＲＣを制御する。より詳しく説明すると、制御装置１００は、制御装置１００は、冷房除湿運転を行うための冷房除湿運転制御部１００ａと、過絞り除湿運転を行うための過絞り除湿運転制御部１００ｂと、再熱除湿運転を行うための再熱除湿運転制御部１００ｃとを有する。この冷房除湿運転制御部１００ａ、過絞り除湿運転制御部１００ｂおよび再熱除湿運転制御部１００ｃは、それぞれ、ソフトウェアにより構成されている。なお、上記冷房除湿運転は、第１除湿運転の一例である。また、上記再熱除湿運転は、第２除湿運転の一例である。
【００３９】
［冷房除湿運転］
上記冷房除湿運転は、図１に示すように、四路切換弁２２を実線の切換え位置に切り換えると共に、圧縮機２１を起動することで、開始される。この冷房除湿運転中、圧縮機２１から吐出された高温高圧の冷媒が四路切換弁２２を介して室外熱交換器２３に流入する。そして、室外熱交換器２３で凝縮した冷媒は、膨張弁２４で減圧された後、室内熱交換器１１の補助熱交換部１１ｂと、室内熱交換器１１の本体熱交換部１１ａとに、この順で流入する。この本体熱交換部１１ａおよび補助熱交換部１１ｂで蒸発した冷媒が四路切換弁２２およびアキュムレータ２５を介して圧縮機２１の吸入側に戻る。このように、冷媒が冷媒回路ＲＣを循環するとき、冷房除湿運転制御部１００ａが、圧縮機２１の周波数と膨張弁２４の開度とを調整すると共に、電磁弁１３をオフにすることで、図３に示すように、室内熱交換器１１の実質的に全部を蒸発域(図３において斜線のハッチングを付した領域)とする。これにより、上記冷房除湿運転は、室内温度を変化させるための能力である顕熱能力が高くなる。
【００４０】
ここで、室内熱交換器１１の実質的に全部を蒸発域にするとは、室内熱交換器１１の全部を蒸発域にするときだけでなく、室内熱交換器１１において一部を除いた部分だけを蒸発域にするときも含む。この一部(例えば、室内熱交換器１１の全容積の１／３以下の部分)だけが蒸発域とならないときとしては、例えば、室内環境などによって、室内熱交換器１１の冷媒出口近傍の部分が過熱域となるときなどがある。
【００４１】
［過絞り除湿運転］
上記過絞り除湿運転は、上記冷房除湿運転のときと同じ方向に冷媒を流す。このとき、過絞り除湿運転制御部１００ｂが、圧縮機２１の周波数と膨張弁２４の開度とを調整すると共に、電磁弁１３をオフにすることで、図４に示すように、補助熱交換部１１ｂを蒸発域(斜線のハッチングを付した領域)にする一方、本体熱交換部１１ａの正面部１１ａ−１および背面部１１ａ−２を過熱域(点のハッチングを付した領域)にする。これにより、上記過絞り除湿運転は、冷房除湿運転によりも顕熱能力が低くなるので、室内の熱負荷が高くも低くもないとき、室温の低下を抑制しつつ、室内の除湿を行える。
【００４２】
また、過絞り除湿運転制御部１００ｂは、過絞り除湿運転中、蒸発域が所定容積(例えば、室内熱交換器１１の全容積の２／３)以下となるように、圧縮機２１および膨張弁２４を制御する。
【００４３】
［再熱除湿運転］
上記再熱除湿運転は、上記冷房除湿運転のときと同じ方向に冷媒を流す。このとき、再熱除湿運転制御部１００ｃが、圧縮機２１の周波数と膨張弁２４の開度とを調整すると共に、電磁弁１３をオンにすることで、図５に示すように、補助熱交換部１１ｂと本体熱交換部１１ａの正面部１１ａ−１とを凝縮域(格子のハッチングを付した領域)にする一方、本体熱交換部１１ａの背面部１１ａ−２を蒸発域(斜線のハッチングを付した領域)にする。これにより、上記再熱除湿運転は、過絞り除湿運転よりも顕熱能力が低くなるので、室内の熱負荷が低いとき、室温の低下を抑制しつつ、室内の除湿を行える。
【００４４】
また、上記再熱除湿運転では、電磁弁１３は、小開度の位置に切り替えられる。より詳しく説明すると、上記再熱除湿運転における電磁弁１３の開度は、空気流量が１０Ｌ／ｍｉｎ未満に相当する開度である。上記再熱除湿運転における電磁弁１３の開度は、空気流量が５Ｌ／ｍｉｎ以下に相当する開度であれば好ましい。さらに、上記再熱除湿運転における電磁弁１３の開度は、空気流量が３．５Ｌ／ｍｉｎ以上に相当する開度であれば好ましい。ここで、「上記再熱除湿運転における電磁弁１３の開度が、空気流量が１０Ｌ／ｍｉｎ未満に相当する開度である」とは、上記開度において冷媒回路ＲＣを流れる空気流量が１０Ｌ／ｍｉｎ未満であることをいうのではなく、電磁弁１３の流量特性から求められる上記開度における空気流量が１０Ｌ／ｍｉｎ未満であることをいう。
【００４５】
図６は、上記空気調和機の冷房除湿運転時、過絞り除湿運転時および再熱除湿運転時のモリエル線図である。
【００４６】
過絞り除湿運転制御部１００ｂの制御は、過絞り除湿運転の蒸発温度は、冷房除湿運転の蒸発温度よりも低くなるように行われる。このとき、膨張弁２４の開度は、通常、冷房除湿運転中の膨張弁２４の開度よりも小さくなる。
【００４７】
再熱除湿運転制御部１００ｃの制御は、原則、再熱除湿運転の蒸発温度が過絞り除湿運転の蒸発温度よりも低くなるように行われる。このとき、膨張弁２４の開度は、過絞り除湿運転中における膨張弁２４の最大開度よりも大きい開度に固定される。
【００４８】
図７は、上記空気調和機の冷房除湿運転、過絞り除湿運転および再熱除湿運転の運転条件を比較するための表を示す。
【００４９】
再熱除湿運転制御部１００ｃは、再熱除湿運転制御部１００ｃは、再熱除湿運転時における室外ファン２６の回転数の制御範囲が、過絞り除湿運転時における室外ファン２６の回転数の制御範囲よりも広くなるように、室外ファン２６を制御する。このとき、再熱除湿運転時における室外ファン２６の回転数の下限値は例えば１５０ｒｐｍに設定される一方、冷房除湿運転時における室外ファン２６の回転数の下限値は例えば３００ｒｐｍに設定される。
【００５０】
また、膨張弁２４の開度は、パルス信号によって調整される。このパルス信号のパルス数は、膨張弁２４の開度と比例する。すなわち、上記パルス数が増えるにつれて、膨張弁２４の開度は大きくなる。
【００５１】
図８〜図１０は、制御装置１００が行う制御を説明するためのフローチャートである。なお、上記制御はリモコンの除湿運転のボタンの押下に応じてスタートする。
【００５２】
上記制御がスタートすると、まず、図８に示すように、ステップＳ１で、再熱除湿運転が行われているか否かを判定する。ステップＳ１は、再熱除湿運転が行われていると判定されるまで繰り返される。別の言い方をすると、ステップＳ１で、再熱除湿運転が行われていると判定されると、次のステップＳ２に進む。
【００５３】
次に、ステップＳ２で、室内温度センサ５２に検出された室内温度と、設定温度との差が、第２所定値以下になっているか否かを判定する。ステップＳ２で、室内温度と設定温度との差が第２所定値以下になっていないと判定すると、次のステップＳ３に進む。一方、ステップＳ２で、室内温度と設定温度との差が第２所定値以下になっていると判定すると、図９に示すステップＳ１１に進む。なお、上記設定温度は、メーカ側で空気調和機の出荷前に設定されているが、ユーザが例えばリモコンなどで変更可能である。
【００５４】
ステップＳ２からステップステップＳ１１に進んだ場合、ステップＳ１１〜Ｓ１３を行った後、次のステップＳ３に進む。より詳しく説明すると、ステップＳ１１では、圧縮機２１および室外ファン２６を一時停止させる。その後、ステップＳ１２で、室内温度と設定温度との差が第２所定値を超えたか否かを判定する。このステップＳ１２は、室内温度と設定温度との差が第２所定値を超えたと判定するまで繰り返される。別の言い方をすると、ステップＳ１２で、室内温度と設定温度との差が第２所定値を超えたと判定すると、次のステップＳ１３に進む。このステップＳ１３では、圧縮機２１および室外ファン２６を再起動させる。
【００５５】
次に、ステップＳ３で、室外ファン２６の回転数が低回転数であるか否かを判定する。より詳しく説明すると、ステップＳ３で、冷房除湿運転時の室外ファン２６の回転数の下限値(３００ｒｐｍ)よりも低い回転数で室外ファン２６が回転しているか否かを判定する。ステップＳ３で、上記下限値よりも低い回転数で室外ファン２６が回転していると判定すると、次のステップ４に進む。一方、ステップＳ３で、上記下限値よりも低い回転数で室外ファン２６が回転していないと判定すると、ステップＳ１に戻る。なお、上記低回転数は第１回転数の一例である。
【００５６】
次に、ステップＳ４で、低回転数が所定時間以上継続したか否かを判定する。ステップＳ４で、上記低回転数が所定時間以上継続したと判定すると、次のステップＳ５に進む。より詳しく説明すると、室外ファン２６の回転数が、上記低回転数になってから、変化しても、変化しなくても、室外ファン２６の回転数が上記下限値以上にならないまま、経過時間が所定時間以上になるとき、ステップＳ４からステップＳ５に進む。一方、ステップＳ４で、上記低回転数が所定時間以上継続していないと判定すると、ステップＳ２１に進む。なお、ステップＳ４の低回転数とは、冷房除湿運転時の室外ファン２６の回転数の下限値よりも低い回転数を意味する。要するに、ステップＳ４の低回転数は、ステップＳ３の低回転数と同様の意味である。また、ステップＳ４の経過時間とは、室外ファン２６の回転数が上記下限値よりも低くなってから経過した時間を意味する。
【００５７】
ステップＳ４からステップＳ２１に進んだ場合、室外ファン２６の回転数は高回転数に切り替えられたか否かを判定する。ステップＳ２１で、室外ファン２６の回転数は高回転数に切り替えられたと判定すると、ステップＳ１に戻る。一方、ステップＳ２１で、室外ファン２６の回転数は高回転数に切り替えられていないと判定すると、ステップＳ４に戻る。なお、ステップＳ２１の高回転数とは、冷房除湿運転時の室外ファン２６の回転数の下限値以上の回転数(例えば４００ｒｐｍ)を意味する。また、上記高回転数は第２回転数の一例である。
【００５８】
次に、ステップＳ５で、室外ファン２６の回転数を高回転数に切り替える。なお、ステップＳ５の高回転数は、ステップＳ２１の高回転数と同様の意味である。
【００５９】
次に、図１０に示すように、ステップＳ６で、室内温度センサ５２に検出された室内温度と、設定温度との差が、第１所定値以下になっているか否かを判定する。このステップＳ６は、上記室内温度と設定温度との差が第１所定値以下になっていると判定されるまで繰り返される。別の言い方をすると、ステップＳ６で、上記室内温度と設定温度との差が第１所定値以下になっていると判定されると、次のステップＳ７に進む。
【００６０】
次に、ステップＳ７で、圧縮機２１および室外ファン２６を一時停止させる。
【００６１】
次に、ステップＳ８で、他の除湿運転に切り替えられたか否かを判定する。このステップＳ８で、他の除湿運転に切り替えられたと判定すると、ステップＳ１に戻る。一方、ステップＳ８で、他の除湿運転に切り替えられていないと判定すると、ステップＳ３１に進む。
【００６２】
ステップＳ８からステップＳ３１に進んだ場合、室内温度センサ５２に検出された室内温度と、設定温度との差が、第１所定値を超えているか否かを判定する。ステップＳ３１で、室内温度と設定温度との差が第１所定値以下と判定すると、ステップＳ８に戻る。一方、ステップＳ３１で、室内温度と設定温度との差が第１所定値を超えていると判定すると、ステップＳ３２で、圧縮機２１および室外ファン２６を再起動させた後、ステップＳ６に戻る。
【００６３】
ここでは、ステップＳ５は保護制御の一例を構成する。また、ステップＳ６は第１制御の一例を構成する。また、ステップＳ７は第２制御の一例を構成する。また、ステップＳ１１は第３制御の一例を構成する。
【００６４】
このように、上記再熱除湿運転において、冷房除湿運転時の室外ファン２６の回転数の下限値よりも低い回転数で室外ファン２６が回転した場合、その低い回転数の継続時間が所定時間以上となったとき、室外ファン２６の回転数が上記下限値以上の回転数に切り替わる。その結果、軸受２９の潤滑が良好になるので、軸受２９の破損を抑制することができる。
【００６５】
また、室外ファン２６の回転数が上記下限値以上の回転数に切り替わった後、室内温度と設定温度との差が、第１所定値を超えていれば、圧縮機２１および室外ファン２６の駆動が継続する。その結果、室外ファン２６の一時停止が起き難くなるので、軸受２９の潤滑が途切れるのを抑制することができる。
【００６６】
また、室外ファン２６の回転数が上記下限値以上の回転数に切り替わった後、室内温度と設定温度との差が第１所定値以下となったとき、圧縮機２１および室外ファン２６が一時停止する。その結果、上記室内温度が設定温度よりも過度に下がるのを抑制することができる。
【００６７】
上記実施形態では、制御装置１００は、図８〜図１０のフローチャートに対応する制御を行っていたが、図１１〜図１３のフローチャートに対応する制御を行ってもよい。
【００６８】
図１１〜図１３のフローチャートに対応する制御は、ステップＳ５とステップＳ６との間にステップＳ１０１〜Ｓ１０３を有する点で、図８〜図１０のフローチャートに対応する制御とは異なる。別の言い方をすると、なお、図１１〜図１３のフローチャートのステップＳ１〜Ｓ８，Ｓ１１〜Ｓ１３，Ｓ２１，Ｓ３１，Ｓ３２は、図８〜図１０のフローチャートのステップＳ１〜Ｓ８，Ｓ１１〜Ｓ１３，Ｓ２１，Ｓ３１，Ｓ３２と同様の処理である。
【００６９】
ステップＳ１０１は、ステップＳ５に引き続いて行われる。このステップＳ１０１では、高回転数が所定時間以上継続したか否かを判定する。ステップＳ１０１で、上記高回転数が所定時間以上継続したと判定すると、次のステップＳ１０２に進む。より詳しく説明すると、室外ファン２６の回転数が、変化しても、変化しなくても、室外ファン２６の回転数が冷房除湿運転時の室外ファン２６の回転数の下限値を下回らないまま、経過時間が所定時間以上になるとき、ステップＳ１０１からステップＳ１０２に進む。一方、ステップＳ４で、上記低回転数が所定時間以上継続していないと判定すると、ステップＳ１１１に進む。なお、ステップＳ１０１の経過時間とは、室外ファン２６の回転数が上記下限値以上になってから経過した時間を意味する。また、ステップＳ１０１の低回転数は、ステップＳ３などの低回転数と同様の意味である。また、ステップＳ１０１の高回転数は、ステップＳ５などの高回転数と同様の意味である。
【００７０】
ステップＳ１０１からステップＳ１１１に進んだ場合、室外ファン２６の回転数は低回転数に切り替えられたか否かを判定する。ステップＳ１１１で、室外ファン２６の回転数は低回転数に切り替えられたと判定すると、ステップＳ１に戻る。一方、ステップＳ１１１で、室外ファン２６の回転数は低回転数に切り替えられていないと判定すると、ステップＳ１０１に戻る。なお、ステップＳ１１１の低回転数は、ステップＳ３などの低回転数と同様の意味である。
【００７１】
ステップＳ１０１からステップＳ１０２に進んだ場合、室内温度と設定温度との差が第２所定値を超えたか否かを判定する。このステップＳ１０２は、室内温度と設定温度との差が第２所定値を超えたと判定するまで繰り返される。別の言い方をすると、ステップＳ１０２で、室内温度と設定温度との差が第２所定値を超えていないと判定すると、次のステップＳ１０３に進む。このステップＳ１０３では、室外ファン２６の回転数を低回転数に切り替える。なお、ステップＳ１０３の低回転数は、ステップＳ３などの低回転数と同様の意味である。
【００７２】
ここで、ステップＳ１０２は第４制御の一例である。また、ステップＳ１０３は第５制御の一例である。
【００７３】
このように、室外ファン２６の回転数が高回転数に切り替えられた後、高回転数の継続時間が所定時間以上になる場合、室内温度と設定温度との差が第２所定値よりも大きいとき、室外ファン２６が高回転数で回転し続ける。したがって、室内温度の降下速度の低下を抑制することができる。
【００７４】
また、室外ファン２６の回転数が高回転数に切り替えられた後、高回転数の継続時間が所定時間以上になる場合、室内温度と設定温度との差が第２所定値以下になるとき、室外ファン２６は低回転数で回転する。したがって、室内温度が設定温度よりも過度に下がるのを抑制することができる。
【００７５】
上記実施形態では、冷房除湿運転、過絞り除湿運転および再熱除湿運転のうちの一つを選択していたが、冷房除湿運転および再熱除湿運転のうちの一つを選択するにしてもよい。別の言い方をすると、本開示は、冷房除湿運転および再熱除湿運転を行えるが、過絞り除湿運転を行えない空気調和機に適用をしてもよい。
【００７６】
上記実施形態では、リモコンの除湿運転のボタンが押下されると、冷房除湿運転、過絞り除湿運転および再熱除湿運転のうちの一つが選択されて行われていたが、リモコンの自動運転のボタンが押下されても、冷房除湿運転、過絞り除湿運転および再熱除湿運転のうちの一つが選択されて行われるようにしてもよい。ここで、上記自動運転とは、室内温度、室外温度などに基づいて、冷房運転、除湿運転、暖房運転などから一つが自動的に選択されて開始した後、自動的に他の空調運転に切り替わる運転を指す。
【００７７】
上記実施形態では、室内熱交換器１１は、本体熱交換部１１ａと補助熱交換部１１ｂを有していたが、本体熱交換部１１ａを有する一方、補助熱交換部１１ｂを有さないようにしてもよい。このようにする場合、過絞り除湿運転時、本体熱交換部１１ａの一部だけが蒸発域となるようにすればよい。
【００７８】
上記実施形態では、本体熱交換部１１ａの正面部１１ａ−１と本体熱交換部１１ａの背面部１１ａ−２との間に、電磁弁１３を設けていたが、互いに異なる３以上の開度に調整可能な電動弁を制御弁の一例として設けてもよい。別の言い方をすれば、室内熱交換器１１の冷媒経路の途中に、膨張弁２４と同様の電磁弁を制御弁の一例として設けてもよい。
【００７９】
上記実施形態において、制御装置１００は、室内機１側の室内制御部(図示せず)と、室外機２側の室外制御部(図示せず)とで構成されてもよいし、上記室内制御部のみで構成されるようにしてもよいし、上記室外制御部のみで構成されてもよい。別の言い方をすれば、制御装置１００は、一部が室内機１に搭載され、かつ、残りの他の部分が室外機２に搭載されるようにしてもよいし、全部が室内機１に搭載されるようにしてもよいし、全部が室外機２に搭載されるようにしてもよい。
【００８０】
上記実施形態では、ステップＳ３で、冷房除湿運転時の室外ファン２６の回転数の下限値よりも低い回転数で室外ファン２６が回転していると判定されると、ステップＳ４に進んだが、冷房除湿運転時の室外ファン２６の回転数の下限値Ｘとしたとき、ステップＳ３で、下限値Ｘ±所定値（例えば０〜５０の範囲内の任意の数値）よりも低い回転数で室外ファン２６が回転していると判定されると、ステップＳ４に進むようにしてもよい。
【００８１】
本開示の具体的な実施形態について説明したが、本開示は上記実施形態およびその変形例に限定されるものではなく、本開示の範囲内で種々変更して実施することができる。例えば、上記実施形態の変形例同士を組み合わせたものを、本開示の一実施形態としてもよい。
【符号の説明】
【００８２】
１  室内機
２  室外機
１１  室内熱交換器
１１ａ  本体熱交換部
１１ａ−１  正面部
１１ａ−２  背面部
１１ｂ  補助熱交換部
１３  電磁弁
１２  室内ファン
２１  圧縮機
２２  四路切換弁
２３  室外熱交換器
２４  膨張弁
２５  アキュムレータ
２６  室外ファン
５１  室内熱交換器温度センサ
５２  室内温度センサ
５３  室内湿度センサ
５６  室外熱交換器温度センサ
５７  外気温度センサ
５８  冷媒温度センサ
１００  制御装置
１００ａ  冷房除湿運転制御部
１００ｂ  過絞り除湿運転制御部
１００ｃ  再熱除湿運転制御部
ＲＣ  冷媒回路
【図１】
2020165620.tif 000003
【図２】
2020165620.tif 000004
【図３】
2020165620.tif 000005
【図４】
2020165620.tif 000006
【図５】
2020165620.tif 000007
【図６】
2020165620.tif 000008
【図７】
2020165620.tif 000009
【図８】
2020165620.tif 000010
【図９】
2020165620.tif 000011
【図１０】
2020165620.tif 000012
【図１１】
2020165620.tif 000013
【図１２】
2020165620.tif 000014
【図１３】
2020165620.tif 000015